(57)【要約】  【課題】本考案は、効果的にバランス運動をすることができるスリッパなどを提供すること及び、使用時に床を傷つけず、運動効率を向上させうるスリッパなどを提供することなどを目的とする。  【解決手段】  上記の課題は、スリッパ本体（１）と、前記スリッパ本体の裏面（２）に設けられた半球（３）と、を具備するスリッパ（４）；又は、さらにスリッパ本体の裏面（２）と前記半球（３）との間には、スラストベアリング（６）が設けられるスリッパなどにより解決される。  【選択図】  図２
0003110451.tif 000002
【実用新案登録請求の範囲】
【請求項１】
スリッパ本体（１）と、
前記スリッパ本体の裏面（２）に設けられた半球（３）と、を具備する、
スリッパ（４）。
【請求項２】
前記半球（３）は、前記スリッパ本体の裏面の重心（５）よりつま先よりの位置に設けられる請求項１に記載のスリッパ。
【請求項３】
前記半球（３）の半径が１ｃｍ〜４ｃｍである請求項１又は請求項２に記載のスリッパ。
【請求項４】
前記半球（３）の素材が、木材、プラスチック又は金属である請求項１〜請求項３のいずれかに記載のスリッパ。
【請求項５】
前記半球（３）の代わりに、局面を有する突起を用いる請求項１〜請求項４のいずれかに記載のスリッパ。
【請求項６】
前記スリッパ本体の裏面（２）と前記半球（３）との間には、スラストベアリング（６）が設けられる請求項１〜請求項４のいずれかに記載のスリッパ。
【請求項７】
前記半球（３）の代わりに、局面を有する突起を用いる請求項６に記載のスリッパ。
【請求項８】
請求項１〜請求項７のいずれかに記載のスリッパにおいて、スリッパ本体（１）の代わりに、靴本体を用いた履物。
【考案の詳細な説明】
【技術分野】
【０００１】
本考案は、スリッパに関する。より詳しくは、本考案は、効果的に運動でき、ダイエットなどに好ましく用いることができるスリッパなどに関する。
【背景技術】
【０００２】
室内における履物としてスリッパはよく知られている。たとえば、鋼底板（１）と押さえ上板（２）の中央部に穴を貫通させ、球状弾性体（３）を装着したスリッパが知られている（下記特許文献１の請求項１を参照）。
【０００３】
また、下記特許文献２には、「かかと部を取り去りつま先立ちで歩行してダイエットを促進するスリッパ において、スリッパの底部はかかと部までの大きさを有し、かかと部と底部をスポンジ等の素材の布で包み、かかと部を中空としたことを特徴とするスリッパ」が開示されている。
【０００４】
【特許文献１】特開２００１−１６９８０２号公報
【特許文献２】特許第３３１６１６９号公報
【考案の開示】
【考案が解決しようとする課題】
【０００５】
本考案は、効果的にバランス運動をすることができるスリッパなどを提供することを目的とする。
【０００６】
本考案は、使用する者の血液の循環をよくし、体質改善などの健康効果をもたらすスリッパを提供することを上記とは別の目的とする。
【０００７】
本考案は、使用時に床を傷つけず、運動効率を向上させうるスリッパなどを提供することを、上記とは別の目的とする。
【課題を解決するための手段】
【０００８】
スリッパなどの裏面は、床などと接触する面であるから通常は平らであるか、様々なパターンの小さな凹凸が形成され、全体としてみれば平坦であった。本考案は、基本的には、このスリッパなどの裏面にあえて、半球などを設けることにより、スリッパなどの安定性を損なうが、スリッパなどを履いたときの運動量を増進でき、ダイエットなどに好ましく用いることができるという知見に基づくものである。
【考案の効果】
【０００９】
本考案によれば、スリッパなどの安定性を損なわせる半球などをスリッパなどの裏面にあえて設けたので、効果的にバランス運動をすることができるスリッパなどを提供できる。
【００１０】
本考案によれば、スリッパの裏面の半球などにより、楽に体を回転させることや、体をねじることができるので、スリッパを使用する者の血液の循環をよくし、体質改善などの健康効果をもたらすスリッパを提供できる。
【００１１】
本考案の好ましい態様によれば、半球などとスリッパの裏面との間にスラストベアリングを設けたので、スリッパを使用しても床を傷つけず、運動効率をさらに向上させうるスリッパなどを提供できる。
【考案を実施するための最良の形態】
【００１２】
図面を用いて、本考案の実施の形態を説明する。図１は、本考案の第一の実施形態に係るスリッパの概略構成図である。図１（Ａ）は、全体の様子を示す図であり、図１（Ｂ）はスリッパ本体の裏面（２）の様子を示す図である。図１（Ａ）及び図１（Ｂ）に示されるように、この態様に係るスリッパは、スリッパ本体（１）と、前記スリッパ本体の裏面（２）に設けられた半球（３）と、を具備する、スリッパ（４）である。なお、本明細書において、スリッパ本体とは、足を搭載する部位と、足の指を覆う部位とを有する部位を有するいわゆるスリッパを意味する。このスリッパ本体は、たとえば市販されているものを適宜用いることができる。より具体的なスリッパ本体として、特許３５３８１６５号公報に開示された「足の甲を挿入して引っかけるインステップストラップと、このインステップストラップを前部に備えた偏平で袋状のソールと、このソール内に出し入れ自在としたインソールとでスリッパ 本体を構成し、前記インステップストラップを上下のパイル織編物からなる布地と、この布地の間に入れた中芯布地との３層構造とし、前記中芯布地を表地と、裏地と、前記表地と裏地との間に架橋した無数の縦糸とで構成し、これら表地、裏地及び縦糸にポリエステル繊維を用いていることを特徴とするスリッパ 」；特許第３３１６１６９号公報に開示された、「かかと部を取り去りつま先立ちで歩行してダイエットを促進するスリッパ において、スリッパの底部はかかと部までの大きさを有し、かかと部と底部をスポンジ等の素材の布で包み、かかと部を中空としたことを特徴とするスリッパ」などがあげられる。また、スリッパ本体の裏面（２）とは、スリッパ本体のうち、使用時に床に接する面を意味する。
【００１３】
半球（３）は、好ましくは、前記スリッパ本体の裏面の重心（５）よりつま先よりの位置に設けられる。ただし、半球（３）は、重心（５）より後に設けられても構わない。スリッパ本体の裏面の重心とは、スリッパ本体の裏面を平面とした場合に、その重心を意味する。半球の数は、たとえば、スリッパ本体（片足分）につき、１個又は数個があげられるが、最も好ましくは１個である。前記半球（３）の半径として、１ｃｍ〜４ｃｍがあげられ、好ましくは２ｃｍ〜３ｃｍである。この大きさであれば、半球を効果的にスリッパ本体の裏面に設置でき、スリッパを使用するときに使用者がバランスを取ることで様々な運動効果を得ることができる。半球（３）の素材は、ある程度の重さに耐えうるものであれば、特に限定されない。半球の素材として、木材、プラスチック又は金属があげられる。
【００１４】
なお、前記半球（３）の代わりに、局面を有する突起を用いるものは、好ましい別の実施態様である。このような局面を有する突起として、半割円柱、半割楕円柱、球を所定の緯度にて切った形状があげられ、いずれもその平面部がスリッパ本体の裏面に接するように形成すればよい。
【００１５】
図２は、本考案の第二の実施形態に係るスリッパの概略図である。図２に示されるように、この態様に係るスリッパは、スリッパ本体（１）と、前記スリッパ本体の裏面（２）に設けられた半球（３；図２は、局面を有する突起）とを具備し、スリッパ本体の裏面（２）と前記半球（３）との間には、スラストベアリングが設けられる。スラストベアリングを設けたので、スリッパを使用しても床を傷つけず、運動効率をさらに向上させうるスリッパなどを提供できる。この実施形態においても、第一の実施形態におけると同様のスリッパ本体及び半球を用いることができる。
【００１６】
本実施形態において用いられるスラストベアリングについて説明する。スラストベアリングは、公知のものを適宜利用できる。スラストベアリングとして、たとえば、リング状のホルダと、ホルダの周方向に開けられたはめ込み、穴に備えたローラと、ホルダおよびローラを挟むリング状の内側爪ベアリングレースと、外側爪ベアリングレースとで構成されるものがあげられる。具体的には、特開2004-116663号公報に開示された「リング状に形成された１組のベアリングレースと、該ベアリングレースの対向面間に設けられた転動部材とを備え、前記ベアリングレースの一方の内周縁を相対回転する部材の嵌め込み部に嵌め込んで位置決めを行い、他方のベアリングレースから内方に伸びるレース延長部が前記嵌め込み部に嵌め込んだベアリングレースの内周径以下になるようにしたことを特徴とするスラストベアリング」；特開2000-240645号公報に開示された「保持器にコロを周方向複数列配列したスラストベアリング において、前記保持器における各列のコロ数を内周側から外周側に向かって多くしたことを特徴とするスラストベアリング 」；又は特公平6-29609号公報に開示された「内外両輪間に保持器を配置し、この保持器に形成した複数の収納部内に転動体を収納して、この転動体によってスラスト荷重を受けるようにしたスラストベアリング において、前記内外両輪、保持器及び転動体をセラミックによって形成し、前記保持器の各収納部を外側方に向けて開放したものとするとともに、この収納部の内面を保持器の軸芯方向に広がるテーパ面として形成したことを特徴とするセラミック製スラストベアリング」などを適宜用いることができる。
【００１７】
上記のスリッパは、たとえば市販のスリッパ本体及び半球などを購入し、それらを接着することにより製造すればよい。また、半球などが、プラスチック又は金属である場合は、所望の形状を有する金型を用いて容易に製造できる。
【００１８】
上記のスリッパは、通常左右の足の分の２つの対称的な部位によって構成されている。そして、それらに左右それぞれの足をはめることでスリッパを履く。すると、スリッパの裏面の半球などによって安定性が損なわれているので、腹筋など様々な筋肉を用いてバランスをとることになる。これによって、運動することとなり、ダイエットなどに有効に用いられる。また、上記の考案を履きつつ、たとえば鴨居などに両手を伸ばした状態とすることで、効果的に腰などをツイストできる。これにより、様々な部位の運動をすることができ、ダイエットなどを有効に行うことができる。また、スリッパ本体の裏面と半球などの間にスラストベアリングを設けたものは、回転数が多くなるので、より運動が向上することとなる。
【００１９】
本考案の別の実施形態は、特に図示しないがスリッパ本体（１）の代わりに、靴本体を用いた履物である。この履物も上記のスリッパと同様にして製造でき、同様にして使用することができる。
【産業上の利用可能性】
【００２０】
本考案に係るスリッパなどは、履物産業などの分野において利用されうる。また、本考案に係るスリッパなど健康機器の分野において利用されうる。
【図面の簡単な説明】
【００２１】
【図１】図１は、本考案の第一の実施形態に係るスリッパの概略構成図である。図１（Ａ）は、全体の様子を示す図であり、図１（Ｂ）はスリッパ本体の裏面（２）の様子を示す図である。
【図２】図２は、本考案の第二の実施形態に係るスリッパ（スラストベアリングを有するもの）の概略図である。
【符号の説明】
【００２２】
１  スリッパ本体
２  スリッパ本体の裏面
３  半球
４  スリッパ
５  スリッパ本体の裏面の重心
６  スラストベアリング
【図１】
0003110451.tif 000003
【図２】
0003110451.tif 000004